(57)【要約】【課題】本発明は、引き戸式の開閉体に取付ける窓用施錠装置において、コンパクト且つ軽量に構成しつつも、さらに防犯性も高めた窓用施錠装置を提供することを目的とする。【解決手段】窓用施錠装置１は、ポリカーボネート製の平板状のプレート本体２２と、その側方に設置したポリカーボネート製の平板状のプレート係止片１０３３と、両者を圧入固定により連結する金属製の回転ピン４とを備えている。【選択図】図１
2007198025.tif 000002
【特許請求の範囲】
【請求項１】
引き戸式の開閉体に取付ける窓用施錠装置であって、
背面に貼着部を有する合成樹脂製のプレート本体と、
該プレート本体の側方に位置し、開錠時にプレート本体と面一となる合成樹脂製のプレート係止片と、
該プレート本体と該プレート係止片とを側端部で圧入固定によって連結し、
施錠時にプレート係止片の回転軸となる金属製の回転ピンとを備える
窓用施錠装置。
【請求項２】
前記プレート係止片の回転側端部の側面を、正面と鋭角をなすように傾斜形成した
請求項１記載の窓用施錠装置。
【請求項３】
前記プレート係止片の回転側端部の側面に、凹状の引っ掛け溝を設けた
請求項１又は２記載の窓用施錠装置。
【請求項４】
前記プレート係止片の幅を、前記プレート本体の幅よりも短くした
請求項１〜３いずれか記載の窓用施錠装置。
【請求項５】
前記プレート本体と前記プレート係止片とを色違いとした
請求項１〜４いずれか記載の窓用施錠装置。
【請求項６】
前記プレート係止片を、前記プレート本体の両側方に設置した
請求項１〜５いずれか記載の窓用施錠装置。
【請求項７】
前記プレート係止片と前記プレート本体とを交互に複数設置して、
各プレート係止片とプレート本体間を金属製の回転ピンで連結した
請求項１〜５いずれか記載の窓用施錠装置。
【請求項８】
前記プレート本体と前記プレート係止片を半透明とした
請求項１〜７いずれか記載の窓用施錠装置。
【請求項９】
前記合成樹脂をポリカーボネートとした
請求項１〜８いずれか記載の窓用施錠装置。
【発明の詳細な説明】
【技術分野】
【０００１】
この発明は、引き戸式のガラス戸やアルミサッシ枠の窓等に用いる窓用施錠装置に関し、特に、主たる施錠装置とは別に補助的に施錠を行なう場合などに用いる窓用施錠装置に関する。
【背景技術】
【０００２】
近年、例えば、防犯上の要請から、引き戸式のガラス戸やアルミサッシ枠の窓に、クレセント錠等の主たる施錠装置に加えて、補助的な施錠装置を設置することが行われている。
【０００３】
こうした施錠装置としては、下記特許文献１の窓用補助錠や、下記特許文献２のアルミサッシ用補助錠が知られている。
【０００４】
特許文献１には、両面テープで一方のガラス窓等に貼り付けられる基板と、その基板に上下方向に延びる長孔を介して回動自在となるロックプレートを設け、ロックプレートを回動して展開させることで、他方のガラス窓の開放動作を規制する窓用補助錠が記載されている。
【０００５】
また、特許文献２には、両面テープで貼り付けられる箱状の基板と、その基板に収納可能な起伏板と、起伏板の背面に設置したバネ材とで構成し、ワンタッチの押し込み操作によって、起伏板を起立状態としてガラス窓の開放動作を規制するアルミサッシ用補助錠が記載されている。
【０００６】
【特許文献１】特開平１１−３６６７６号公報
【特許文献２】特開２００４−２３２３４５号公報
【発明の開示】
【発明が解決しようとする課題】
【０００７】
ところで、このような施錠装置は、開閉される引き戸式の開閉体に直接取付けられることから、開閉体の開閉操作の負担を軽減するため、コンパクト且つ軽量に構成することが求められる。
【０００８】
この点、前述の特許文献１の構造によると、ロックプレートを引き上げるための上下方向のスペースが必要であることから、必然的に、装置自体が大型化してしまい、重量が増加するという問題がある。
【０００９】
一方、前述の特許文献２の構造によると、起伏板を起伏するだけでガラス窓の開放を規制するため、装置をコンパクトに構成することができ、前述のコンパクト化の要請に応えることができる。
【００１０】
しかしながら、この特許文献２の構造は、防犯上の性能において、充分ではないという問題がある。  
すなわち、前述の特許文献２のアルミサッシ用補助錠は、施錠開錠をワンタッチの押し込み操作で行えるように、起伏板の背面にバネ材を設置して、起伏板の端部をそれぞれ押し込むことで、起伏板の起伏状態を切り替えるように構成している。  
このため、侵入者が窓ガラスを割って室内に侵入する際、室外から起伏板の端部をワンタッチで押圧すれば、比較的簡単に補助錠を開錠することができ、補助錠としての防犯機能をなくしてしまうのである。
【００１１】
そこで、本発明は、引き戸式の開閉体に取付ける窓用施錠装置において、コンパクト且つ軽量に構成しつつも、さらに防犯性も高めた窓用施錠装置を提供することを目的とする。
【課題を解決するための手段】
【００１２】
この発明の窓用施錠装置は、引き戸式の開閉体に取付ける窓用施錠装置であって、背面に貼着部を有する合成樹脂製のプレート本体と、該プレート本体の側方に位置し、開錠時にプレート本体と面一となる合成樹脂製のプレート係止片と、該プレート本体と該プレート係止片とを側端部で圧入固定によって連結し、施錠時にプレート係止片の回転軸となる金属製の回転ピンとを備えるものである。
【００１３】
上記構成によれば、プレート本体の貼着部で開閉体に装着することで引き戸式の開閉体に装着し、プレート係止片を、回転ピンの圧入固定による摺動抵抗に抗して回転させることで、開錠状態と施錠状態を切り替えることになる。  
このため、操作者は、開錠施錠の切り替えの際に、プレート係止片に一定以上の力を継続して作用させなければ、プレート係止片を回転させることができない。  
特に、室外から操作する場合には、サッシ枠等の裏側にあるプレート係止片を、指先等で回転操作しなければならないため、侵入者等は開錠操作を行うことが困難となる。
【００１４】
また、この窓用施錠装置では、単に、プレート係止片を回転させて開錠と施錠の切り替えを行なうので、装置自体をコンパクトに構成することができる。さらに、プレート本体とプレート係止片を合成樹脂で成形しているため、軽量化も図ることができる。
【００１５】
なお、プレート本体とプレート係止片を、長方形状に形成した場合には、サッシ枠等とマッチさせることができ、窓用施錠装置を取付けた際の外観を向上することができる。もっとも、プレート本体とプレート係止片の形状は、長方形状に限定されるものではなく、丸形状、三角形状等、他の形状であってもよい。
【００１６】
この発明の一実施態様においては、前記プレート係止片の回転側端部の側面を、正面と鋭角をなすように傾斜形成したものである。  
上記構成によれば、プレート係止片の回転側端部の側面が正面と鋭角をなすように傾斜形成されていることから、操作者が正面側から、すなわち室内側からプレート係止片を施錠方向に回転操作する際、指先がプレート係止片の回転側端部に引っ掛かり易くなり、プレート係止片を回転させ易くなる。一方、逆にプレート係止片を開錠方向に回転操作する場合には、傾斜した側面が、背面と鈍角をなすため、指先が回転側端部に引っ掛かりにくくなり、プレート係止片を回転させ難くなる。  
よって、施錠方向に対しては操作しやすく、開錠方向に対しては操作しにくい窓用施錠装置とすることができ、施錠方向の操作性を高めつつも、開錠方向の操作性を困難にして防犯性を高めることができる。
【００１７】
この発明の一実施態様においては、前記プレート係止片の回転側端部の側面に、凹状の引っ掛け溝を設けたものである。  
上記構成によれば、プレート係止片の回転側端部の側面に凹状の引っ掛け溝を設けていることから、操作者がプレート係止片を操作する際に、指先がプレート係止片に引っ掛かり易くなり、プレート係止片の回転操作が容易になる。
【００１８】
よって、操作者は、回転ピンの圧入固定によるプレート係止片の回転抵抗を受けながらも、係止プレートの回転操作を容易に行なうことができる。
【００１９】
この発明の一実施態様においては、前記プレート係止片の幅を、前記プレート本体の幅よりも短くしたものである。  
上記構成によれば、プレート係止片の幅をプレート本体の幅よりも短くしたため、開錠状態、すなわち、プレート係止片がプレート本体の側方に面一に位置した状態で、外観上、プレート係止片の端部がプレート本体の端部よりも一段低く視認されることになる。
【００２０】
よって、操作者は、プレート係止片の位置をプレート本体から容易に識別でき、隙間があるので、容易にプレート係止片を操作することができる。
【００２１】
この発明の一実施態様においては、前記プレート本体と前記プレート係止片とを色違いとしたものである。
【００２２】
上記構成によれば、プレート本体とプレート係止片を色違いとしたため、開錠状態、すなわち、プレート係止片がプレート本体の側方に面一に位置した状態で、色彩上、プレート係止片がプレート本体と明らかに相違して視認されることになる。
【００２３】
よって、操作者は、プレート係止片の位置を容易に識別でき、容易にプレート係止片を操作することができる。
【００２４】
この発明の一実施態様においては、前記プレート係止片を、前記プレート本体の両側方に設置したものである。
【００２５】
上記構成によれば、プレート係止片をプレート本体の両側方に設置しているため、両側のプレート係止片を、各々施錠方向に回転させることで、開閉体の係止位置、すなわち、開閉体の施錠位置を変更することができる。
【００２６】
よって、防犯のためだけではなく、例えば、室内の換気のために、僅かに開閉体を開いて係止しておきたい場合には、施錠位置のプレート係止片とは異なる他方のプレート係止片を施錠方向に回転させることで、開閉体を所望の位置で係止することができる。
【００２７】
この発明の一実施態様においては、前記プレート係止片と前記プレート本体とを交互に複数設置して、各プレート係止片とプレート本体とを前記回転ピンで連結したものである。
【００２８】
上記構成によれば、プレート係止片とプレート本体とを交互に複数設置して、回転ピンで連結したため、各プレート係止片をそれぞれ施錠方向に回転させることで、開閉体の施錠位置を、各プレート係止片分だけ複数設定することができる。
【００２９】
よって、防犯のためだけでなく、例えば、室内の換気のために、僅かに開閉体を開いてその位置で係止しておきたい場合、さらに猫などの小動物の出入りのため、やや開閉体を開いて係止しておきたい場合等に、開閉体を所望の位置で係止することができる。
【００３０】
この発明の一実施形態においては、前記プレート本体と前記プレート係止片を半透明としたものである。  
上記構成によれば、プレート本体とプレート係止片が半透明であるため、開閉体の室内側で露出する窓用施錠装置を、可及的に目立たないようにすることができ、窓用施錠装置を取付けた際の外観を向上することができる。  
また、窓用施錠装置が目立たないため、侵入者から発見されにくくでき、防犯性も向上できる。
【００３１】
この発明の一実施形態においては、前記プレート係止片を複数枚設定したものである。
上記構成によれば、プレート係止片が複数あることにより、開閉体を開放する際に開閉体から受ける荷重を、分散して各プレート係止片で支持できるため、施錠効果（開閉体を係止する効果）をより高めることができる。
【００３２】
この発明の一実施態様においては、前記合成樹脂をポリカーボネートとしたものである。  
上記構成によれば、プレート本体とプレート係止片を、「ポリカーボネート」という強靭で割れ難い合成樹脂で形成したことで、施錠状態で開閉体を強引に開放しようとした場合であっても、破損するおそれがなく、確実に施錠状態を維持することができる。  
また、「ポリカーボネート」は、火元を離せば自然に火が消える自己消化性を備えているため、窓用施錠装置として室内で使用しても、火災の延焼を防ぐことができ、さらに有毒ガスの発生も抑えることができる。
【発明の効果】
【００３３】
この発明によれば、プレート係止片の回転軸となる回転ピンを圧入固定で連結しているため、開錠と施錠の切り替えの際、操作者は、プレート係止片に一定以上の操作力を継続して作用させなければ、プレート係止片を回転させることができない。  
特に、室外から操作する場合には、サッシ枠等の裏側にあるプレート係止片を、指先等で回転操作しなければならないため、侵入者等は開錠操作を行うことが困難となる。  
また、この窓用施錠装置は、単に、プレート係止片を回転させて開錠と施錠の切り替えを行なうため、装置自体をコンパクトに構成することができる。さらに、プレート本体とプレート係止片を合成樹脂で成形しているため、軽量化も図ることができる。  
よって、引き戸式の開閉体に取付ける窓用施錠装置において、コンパクト且つ軽量に構成しつつも、さらに防犯性も高めることができる。
【発明を実施するための最良の形態】
【００３４】
以下、図面に基づいて本発明の実施形態を詳述する。  
まず、図１〜図４により、第一実施形態について説明する。図１は、本実施形態の窓用施錠装置の全体斜視図で、（ａ）が開錠状態、（ｂ）が施錠状態である。図２は開錠状態から施錠状態への操作を説明する側面図、図３は施錠状態から開錠状態への操作を説明する側面図、図４は実際に窓ガラスのサッシ枠に装着した状態の斜視図である。
【００３５】
本実施形態の窓用施錠装置１は、図１に示すように、ポリカーボネート製の平板状のプレート本体２と、その側方に設置したポリカーボネート製の平板状のプレート係止片３と、両者を連結する金属製の回転ピン４とを備えている。
【００３６】
プレート本体２は、横長の長方形体で形成し、例えば、長さ６６ｍｍ、幅２５ｍｍに形成し、厚みを４ｍｍとしたポリカーボネート成形品で構成している。そして、その背面２ａ（サッシ枠装着面）には、両面粘着テープ５（破線で示す）を設け、この両面粘着テープ５でサッシ枠に取り付けるように構成している。
【００３７】
プレート係止片３も、縦長の長方形体で形成し、例えば、長さ１８ｍｍ、幅２５ｍｍ、厚みを４ｍｍとしたポリカーボネート成形品で構成している。  
このため、このプレート係止片３を開錠状態（ａ）とすると、プレート本体２とプレート係止片３が外見上一枚のプレート体のように見え、見栄えを向上することができる。
【００３８】
回転ピン４は、円柱状の金属ピンで形成し、例えば、長さ２８ｍｍ、太さ２ｍｍのピンで構成し、プレート本体２とプレート係止片３との間の側端部２ｂ，３ａに、プレート本体２の長手方向と同一方向に延びるように配置している。この回転ピン４は、プレート本体２とプレート係止片３に対して圧入固定され、プレート本体２とプレート係止片３を連結している。
【００３９】
プレート係止片３は、この回転ピン４を回転軸として、開錠状態（ａ）と施錠状態（ｂ）の間で回転するように構成されている。但し、回転ピン４を圧入固定によってプレート本体２と連結しているため、常時、回転操作する際には、回転ピン４から摺動抵抗を受けることになる。
【００４０】
このことから、プレート係止片３を回転操作するには、摺動抵抗に抗する所定値以上の操作力を継続してプレート係止片３に付与する必要がある。
【００４１】
よって、操作者は、プレート係止片３をワンタッチで操作することができず、所定値以上の操作力を継続して付与することにより、開錠状態と施錠状態とを切り替えることになる。
【００４２】
また、このプレート係止片３の回転側端部３ｂの側面には、所定の傾斜角を有する操作傾斜面３１を設けている（図２参照）。  
具体的には、図２に示すように、プレート係止片３の正面３ｃ（室内側面）と鋭角αをなす操作傾斜面３１を形成している。例えば、α＝７０°として形成している。一方、この操作傾斜面３１は、図３に示すように、プレート係止片３の背面３ｄ（室外側面）からみると、背面３ｄと鈍角βをなす。例えば、β＝１１０°としている。
【００４３】
このように、正面３ｃとなす角度を鋭角αとすることで、室内からの操作者は、操作傾斜面３１に指先Ｈ（図２の破線参照）を掛け易くなり、プレート係止片３を開錠状態から施錠状態へ操作するのを容易に行うことができる。
【００４４】
一方、背面３ｄとなす角度を鋭角βとすることで、室外からの操作者（侵入者）は、プレート係止片３を操作しようとしても、指先Ｈ´（図３の破線参照）を操作傾斜面３１に掛けにくくなり、プレート係止片３を施錠状態から開錠状態へ操作するのが困難となる。
【００４５】
このように、プレート係止片３の回転側端部３ｂに操作傾斜面３１を設けたことにより、開錠状態から施錠状態へ操作する操作性を向上することができ、また、逆に施錠状態から開錠状態へ操作する操作性を困難とすることで、防犯性を高めることができる。  
なお、図２、図３で、１１は窓ガラスのサッシ枠、１２はガラス体を示す。
【００４６】
図４は、この実施形態の窓用施錠装置１を、窓ガラス１０のサッシ枠１１に実際に取付けた状態を示している。  
この図に示すように、窓用施錠装置１は、開き戸式の一方（室外側）の窓ガラス１０のサッシ枠１１の下部に、合わせライン１３からＳ（約２〜３ｍｍ）程度離間した位置に取付けられる。そして、プレート係止片３を施錠方向（下向き）に回転させること（一点鎖線で示す）で、他方（室内側）の窓ガラス２０の開方向（図面左側）への進行を規制して、窓ガラス１０，２０の施錠を行なう。
【００４７】
この図に示すように、窓用施錠装置１を長方形状で形成したことで、外観上、サッシ枠１１とマッチして一体感を出すことができ、窓用施錠装置１が室内で露出しても、外観を損ねることがない。
【００４８】
また、このプレート係止片３とプレート本体２は全体を半透明としている。これにより、窓用施錠装置１を目立たないようにでき、窓用施錠装置を取付けていることを一見して分からないようにしている。
【００４９】
なお、この窓ガラス１０，２０のサッシ枠の上方位置には、図示しないクレセントを設置しており、主たる施錠装置としての機能を果たしており、本実施形態の窓用施錠装置１はその補助的な施錠装置としての機能を果たしている。
【００５０】
次に、本実施形態の作用・効果について詳述する。  
この実施形態の窓用施錠装置１は、サッシ枠１１に取付ける窓用施錠装置１であって、背面３ｄに両面粘着テープ５を設けたプレート本体２と、そのプレート本体２の側方に位置し、開錠時にプレート本体２と面一となるプレート係止片３と、そのプレート本体２とプレート係止片３を側端部２ｂ、３ａで圧入固定によって連結し、施錠時にプレート係止片３の回転軸となる回転ピン４とを備えるものである。
【００５１】
この構成によれば、両面粘着テープ５でプレート本体２を取り付けることで、窓用施錠装置１をサッシ枠１１に装着し、プレート係止片３を回転ピン４の圧入固定による摺動抵抗に抗して回転させることで、開錠状態と施錠状態を切り替えることになる。  
このため、開錠と施錠の切り替えの際、操作者は、プレート係止片３に一定以上の操作力を継続して作用させなければ、プレート係止片３を回転させることができない。  
特に、室外から操作する場合には、サッシ枠１１等の裏側にあるプレート係止片３を、指先等で回転操作しなければならないため、侵入者等は、開錠操作を行なうことが困難となる。  
また、この窓用施錠装置１は、単に、プレート係止片３を回転させて開錠と施錠の切り替えを行なうので、装置自体をコンパクトに構成することができる。さらに、プレート本体２とプレート係止片３を合成樹脂のポリカーボネートで成形しているため、軽量化も図ることができる。  
よって、引き戸式のガラス窓に取付ける窓用施錠装置１において、コンパクト且つ軽量に構成しつつも、さらに防犯性も高めることができる。
【００５２】
なお、本実施形態では、窓用施錠装置１をサッシ枠１１に取付ける場合で説明したが、窓用施錠装置１を直接ガラス本体１２等に取付けてもよい。  
また、プレート本体２とプレート係止片３の形状は、この長方形状に限定されるものではなく、丸形状、三角形状等、他の形状であってもよい。
【００５３】
また、この実施形態は、プレート係止片３の回転側端部３ｂの操作傾斜面３１を、正面３ｃと鋭角αをなすように傾斜形成している。  
この構成によれば、操作者が正面３ｃ側から、すなわち室内側からプレート係止片３を施錠方向に回転操作する際、指先がプレート係止片３の回転側端部３ｂに引っ掛かり易くなり、プレート係止片３を回転させやすくなる。一方、逆にプレート係止片３を開錠方向に回転操作する場合には、操作傾斜面３１が、背面３ｄと鈍角βをなすため、指先が回転側端部に引っ掛かり難くなり、プレート係止片３を回転させ難くなる。  
よって、施錠方向に対しては操作しやすく、開錠方向に対しては操作しにくい施錠装置とすることができ、施錠方向の操作性を高めつつも、開錠方向の操作性を困難にして防犯性を高めることができる。
【００５４】
また、この実施形態は、プレート本体２とプレート係止片３を半透明としている。  
この構成によれば、サッシ枠１１の室内側で露出する窓用施錠装置１を、可及的に目立たないようにすることができ、窓用施錠装置１を取付けた際の外観を向上することができる。  
また、窓用施錠装置１が目立たないため、侵入者から発見されにくくでき、防犯性も向上できる。
【００５５】
また、この実施形態は、ポリカーボネートでプレート本体２とプレート係止片３を成形している。  
この構成によれば、プレート本体２とプレート係止片３を、「ポリカーボネート」という強靭で割れ難い合成樹脂で形成したことで、施錠状態でサッシ枠１１を強引に開放された場合であっても、衝撃等により破損するおそれがなく、確実に施錠状態を維持することができる。  
また、「ポリカーボネート」は、火元を離せば自然に火が消える自己消化性を備えているため、窓用施錠装置として室内で使用しても、火災の延焼を防ぐことができ、さらに有毒ガスの発生も抑えることができる。
【００５６】
次に、第二実施形態について、図５及び図６で説明する。図５は第二実施形態の窓用施錠装置の全体斜視図で（ａ）が開錠状態、（ｂ）が施錠状態を示した図であり、図６はプレート係止片の回転側端部の詳細図である。なお、第一実施形態と同一の構成要素については、同一の符号を付して説明を省略する。
【００５７】
この実施形態の窓用施錠装置１０１は、プレート係止片１０３の施錠操作の操作性を、前述の第一実施形態よりも高めたものであり、具体的には、プレート係止片１０３の幅をプレート本体２の幅よりも短く設定し、またプレート係止片１０３をプレート本体２と別の色彩、たとえば赤色にし、さらに回転側端部１０３ｂの操作傾斜面１３１に凹状の引っ掛け溝１３２を形成したものである。
【００５８】
まず、図５に示すように、この実施形態では、プレート係止片１０３の幅Ｗ２をプレート本体２の幅Ｗ１よりも短く、例えば、プレート本体２の幅Ｗ１が２５ｍｍであるのに対して、プレート係止片１０３の幅Ｗ２を２０ｍｍとしている。
【００５９】
このため、開錠状態（ａ）で、プレート係止片１０３の回転側端部１０３ｂがプレート本体２の端部よりも一段低くなり、操作者がプレート係止片１０３の位置を容易に識別することができる。
【００６０】
加えて、隙間Ｗ３もあるため、プレート係止片１０３を容易に操作することができる。
【００６１】
また、この実施形態では、プレート係止片１０３の色彩をプレート本体２と別の色彩、例えば、赤色に設定している。このため、プレート係止片１０３がプレート本体２よりも目立つことになり、操作者は、開錠状態でさらにプレート係止片１０３の位置を容易に識別することができる。
【００６２】
こうしたことにより、操作者は、施錠操作を行なう前に、操作するプレート係止片１０３の位置を容易に確認することができる。
【００６３】
さらに、この実施形態では、図６に示すように、プレート係止片１０３の回転側端部１０３ｂの操作傾斜面１３１に長手方向に延びる凹状の引っ掛け溝１３２を形成している。具体的には、所定の半径曲率Ｒ（例えば、１．５ｍｍ）を持った曲率面で引っ掛け溝１３２を形成している。このため、指先Ｈ、特に爪先がこの引っ掛け溝１３２に引っ掛かり易くなり、操作者は、プレート係止片１０３を開錠状態から施錠状態に操作するのが容易に行える。
【００６４】
このように構成したことにより、この実施形態では、次の作用効果を奏することになる。  
まず、この実施形態では、プレート係止片１０３の回転側端部１０３ｂの操作傾斜面１３１に、凹状の引っ掛け溝１３２を設けたことにより、操作者がプレート係止片１０３を操作する際に、指先Ｈがプレート係止片１０３に引っ掛かり易くなり、プレート係止片１０３の回転操作を容易に行なうことができる。  
よって、操作者は、回転ピン４の圧入固定によるプレート係止片１０３の回転抵抗を受けながらも、プレート係止片１０３の施錠操作を容易に行なうことができる。
【００６５】
また、この実施形態では、プレート係止片１０３の幅Ｗ２を、プレート本体２の幅Ｗ１よりも短く設定したことにより、開錠状態で、外観上プレート係止片１０３の回転側端部１０３ｂがプレート本体２の端部よりも一段低く視認されることになる。
【００６６】
よって、操作者は、施錠操作の際、プレート係止片１０３をプレート本体２から容易に識別でき、加えて、隙間Ｗ３があるので、容易にプレート係止片１０３を操作することができる。
【００６７】
また、この実施形態では、プレート本体２とプレート係止片１０３との色彩を相違させ、プレート係止片１０３を赤色として目立つように設定したことにより、開錠状態で、色彩上、プレート係止片１０３を目立たせることができる。  
よって、操作者は、プレート係止片１０３をプレート本体２から容易に識別でき、容易にプレート係止片１０３を操作することができる。
【００６８】
なお、プレート係止片１０３の色彩は、プレート本体２と異なる色であれば、特に赤色に限定されるものではなく、黒色、黄色、白色等などであっても良い。
【００６９】
次に、第三実施形態について、図７で説明する。図７は、この実施形態の窓用施錠装置の全体斜視図であり（ａ）が開錠状態、（ｂ）が施錠状態を示した図である。なお、この実施形態についても、前述の実施形態と同様の構成要素については、符号を付して説明を省略する。
【００７０】
この実施形態の窓用施錠装置２０１は、通常のプレート係止片１０３に加えて、第二のプレート係止片２０３をプレート本体２の反対側に設置したものである。すなわち、プレート本体２の両側方に、プレート係止片１０３，２０３を設置したものである。
【００７１】
この追加した第二のプレート係止片２０３も、通常のプレート係止片１０３同様に、縦長の長方形体で形成し、例えば、長さ１８ｍｍ、幅２０ｍｍ、厚み４ｍｍとしてポリカーボネート成形品で構成している。
【００７２】
また、第二のプレート係止片２０３も、圧入固定した回転ピン４によって、開錠状態と施錠状態の間で回転するように構成されている。
【００７３】
このように、一つのプレート本体２の両側位置に２つのプレート係止片１０３，２０３を有することにより、この実施形態では、窓ガラス２０（図４参照）の係止位置を２箇所にすることができる。すなわち、通常のプレート係止片１０３の位置では、第一実施形態と同様に、防犯機能を果たすべく窓ガラス２０（図４参照）を閉鎖した位置で係止して、第二のプレート係止片２０３の位置では、室内換気のため窓ガラス２０（図４参照）を僅かに開いた位置で係止することができるのである。
【００７４】
このように、本実施形態によれば、プレート係止片１０３，２０３をプレート本体２の両側方に設置しているため、両側のプレート係止片１０３，２０３を、それぞれ施錠方向に回転させることで、窓ガラス２０の係止位置、すなわち、窓ガラス２０の施錠位置を変更することができる。
【００７５】
よって、防犯のためだけではなく、例えば、室内換気のために、僅かに窓ガラス２０を開いてその位置で係止しておきたい場合には、他方のプレート係止片１０３を施錠方向に回転させて、窓ガラス２０を所望の位置で係止することができ、窓用施錠装置の機能を増やすことができる。
【００７６】
次に、第四実施形態について、図８、図９で説明する。図８は図７と同様に、この実施形態の窓用施錠装置の全体斜視図で（ａ）が開錠状態、（ｂ）が施錠状態を示した図である。図９はこの実施形態の使用状態を窓ガラスも含めて模式的に示した図で（ａ）が開錠状態、（ｂ）が第一施錠状態、（ｃ）が第二施錠状態、（ｄ）が第三施錠状態であり、上方を室外、下方を室内としたものである。なお、この実施形態についても、前述の実施形態と同様の構成要素については、符号を付して説明を省略する。
【００７７】
この実施形態の窓用施錠装置３０１では、ポリカーボネート製の２つのプレート本体（第一プレート本体３０２、第二プレート本体３１２）と３つのプレート係止片（第一プレート係止片３０３、第二プレート係止片３１３、第三プレート係止片３２３）を、順に交互に位置するよう一列に配置して、各プレート本体３０２，３１２とプレート係止片３０３，３１３，３２３の間を、圧入固定した金属製の回転ピン４，１０４で連結することで構成している。
【００７８】
なお、中央のプレート係止片３１３とその両側のプレート本体３０２，３１２は一本の長い回転ピン１０４で連結している。これにより、長くなることで強度が弱まる窓用施錠装置３０１の剛性を補っている。
【００７９】
この実施形態では、図９に示すように、各プレート係止片３０３，３１３，３２３の回転位置を施錠状態と開錠状態に変化させることで、窓ガラス２０の係止位置を変更できるようにしている。
【００８０】
まず、（ａ）の開錠状態では、全てのプレート係止片３０３，３１３，３２３を施錠状態として、窓ガラス２０を自由に開閉できるようにしている。  
（ｂ）の第一施錠状態では、最も一方の窓ガラス２０側に位置する第一プレート係止片３０３を施錠状態として、他のプレート係止片３１３,３２３を開錠状態としている。この状態では、窓ガラス２０をほぼ完全に閉鎖した位置で係止するため、補助錠としての防犯性を高めることができる。  
（ｃ）の第二施錠状態では、中央位置の第二プレート係止片３１３を施錠状態として、他のプレート係止片３０３，３２３を開錠状態としている。この状態では、窓ガラス２０を僅かに開いた位置で係止するため、外気を取り入れる程度の開口長Ｌ１（例えば、約６０ｍｍ）を確保することができ、室内換気を行うことができる。
【００８１】
最後に（ｄ）の第三施錠状態では、最も一方の窓ガラス２０から離間した位置の第三プレート係止片３２３を施錠状態として、他のプレート係止片３０３，３１３を開錠状態としている。この状態では、窓ガラス２０をやや開いた位置で係止するため、猫などの小動物が通り抜ける程度の開口長Ｌ２（例えば、約１４０ｍｍ）を確保することができ、ペットの飼育等を行いやすくできる。
【００８２】
このように、本実施形態によれば、３つのプレート係止片３０３，３１３，３２３と２つのプレート本体３０２,３１２とを交互に設置して、各プレート係止片３０３，３１３，３２３とプレート本体３０２,３１２を回転ピン４，１０４で連結したため、各プレート係止片（第一プレート係止片３０３、第二プレート係止片３１３、第三プレート係止片３２３）をそれぞれ回転させることで、窓ガラス２０の施錠位置を、３箇所設定することができる。
【００８３】
よって、防犯のためだけでなく、室内の換気のために、僅かに窓ガラス２０を開いて係止しておきたい場合、又は猫などの小動物の出入りのため、やや窓ガラス２０を開いて係止しておきたい場合等に、窓ガラス２０を所望の位置で係止することができる。
【００８４】
なお、さらにプレート本体とプレート係止片を追加して設定することで、さらに窓ガラス２０の施錠位置を増加するように構成してもよい。
【００８５】
次に、第五実施形態、第六実施形態について、図１０及び図１１で説明する。図１０、図１１の実施形態は、いずれもプレート係止片を二部品で構成したものであり、（ａ）が開錠状態、（ｂ）が施錠状態を示したものである。
【００８６】
まず、図１０に示す実施形態の窓用施錠装置４０１は、プレート係止片４０３を装着状態で見て、上下の二部品４０３Ａ，４０３Ｂで構成したものである。また、この実施形態では、回転ピン４も同様に上下端にそれぞれ一本ずつ設けている。さらに、この上下のプレート係止片４０３Ａ，４０３Ｂについても、それぞれの回転側端部３ｂ，３ｂに、正面３ｃと鋭角αをなす傾斜操作面３１，３１を設けている。  
なお、その他の構成については、第一実施形態と同様に構成している。
【００８７】
この実施形態によれば、プレート係止片４０３を二部品４０３Ａ，４０３Ｂで構成したころにより、窓ガラス２０を開放する際に窓ガラス２０から受ける荷重を、各プレート係止片４０３Ａ，４０３Ｂで分散して支持できるため、施錠効果（窓ガラス２０を係止しておく効果）を、より高めることができる。  
すなわち、各プレート係止片４０３Ａ，４０３Ｂや回転ピン４，４に掛かる負荷を軽減できるため、破損のおそれが少なくなり、施錠装置としての施錠効果を高めることができるのである。
【００８８】
よって、仮に、ポリカーボネート以外の合成樹脂で窓用施錠装置を構成しても、破損のおそれがなくなり、施錠効果を高めることができる。  
なお、その他の作用効果については、第一実施形態と同様である。  
また、この実施形態においても、点線で示すように、第二実施形態と同様に各プレート係止片４０３Ａ，４０３Ｂの幅を短くして、プレート係止片４０３の位置を、より操作者から識別し易くして、プレート係止片４０３を操作しやすくしてもよい。
【００８９】
次に、図１１に示す実施形態の窓用施錠装置５０１は、プレート係止片５０３を上下二部品５０３Ａ，５０３Ｂで構成し、さらにそのプレート係止片５０３Ａ，５０３Ｂのそれぞれの回転側端部３ｂ，３ｂに、重なり段部５３１，５３１を設けたものである。
【００９０】
この実施形態によれば、プレート係止片５０３Ａ，５０３Ｂに重なり段部５３１，５３１を設けたことで、プレート係止片５０３を二部品で構成した場合でも、開錠状態（ａ）で両プレート係止片５０３Ａ，５０３Ｂの間に「隙」が生じないため、外観上の見栄えを向上することができる。  
よって、施錠効果を高めつつ、見栄えを向上することができる。  
なお、その他の作用効果については、前述の第五実施形態と同様である。
【００９１】
以上、この発明の構成と、前述の実施形態との対応において、
この発明の開閉体は、ガラス窓１０，２０に対応し、
以下、同様に、
貼着部は、両面粘着テープ５に対応し、
側面は、操作傾斜面３１に対応するも、
この発明は、前述の実施形態に限定されるものではなく、あらゆる窓用施錠装置に適用する実施形態を含むものである。  
また、引き戸式の開閉体であれば、窓ガラスに限定されるものではなく、例えば、玄関や雨戸、さらには門などに使用してもよい。
【００９２】
さらに、この窓用施錠装置を、室内の「襖」や「障子」等の枠に取り付け、「襖」や「障子」等の施錠装置としてもよい。
【図面の簡単な説明】
【００９３】
【図１】第一実施形態の窓用施錠装置の全体斜視図で、（ａ）が開錠状態、（ｂ）が施錠状態を示した図。
【図２】開錠状態から施錠状態への操作を説明する側面図。
【図３】施錠状態から開錠状態への操作を説明する側面図。
【図４】実際に窓ガラスのサッシ枠に装着した状態の斜視図。
【図５】図１に対応する第二実施形態の全体斜視図。
【図６】プレート係止片の回転側端部の詳細図。
【図７】図１に対応する第三実施形態の全体斜視図。
【図８】図１に対応する第四実施形態の全体斜視図。
【図９】第四実施形態の使用状態を窓ガラスも含めて模式的に示した図。
【図１０】第五実施形態の側面図で、（ａ）が開錠状態、（ｂ）が施錠状態を示した図。
【図１１】図１０に対応する第六実施形態の側面図。
【符号の説明】
【００９４】
１，１０１，２０１，３０１，４０１，５０４…窓用施錠装置
２，３０２，３１２…プレート本体
３，１０３，２０３，３０３，３１３，３２３，４０３，５０３…プレート係止片
４，１０４…回転ピン
１０，２０…窓ガラス
３１…操作傾斜面（側面）
【図１】
2007198025.tif 000003
【図２】
2007198025.tif 000004
【図３】
2007198025.tif 000005
【図４】
2007198025.tif 000006
【図５】
2007198025.tif 000007
【図６】
2007198025.tif 000008
【図７】
2007198025.tif 000009
【図８】
2007198025.tif 000010
【図９】
2007198025.tif 000011
【図１０】
2007198025.tif 000012
【図１１】
2007198025.tif 000013